(57)【要約】【課題】足場の組立て状況にかかわらず足場板と柵の間に大きな隙間ができず、且つ簡単に組立てられる建築用足場を提供する。【解決手段】地面上に立てて設けられる複数の支柱２と、複数の支柱２によって支持されて支柱２と交差する方向に延在する足場板３と、足場板３の側辺３ａに回動可能に取り付けられた柵７とを有する建築用足場である。足場板３の側辺３ａに柵７を一体に形成したので、建築用足場の組立て時に組立て誤差が生じた場合でも、足場板３と柵７との間に大きな隙間が形成されることがなくなり、足場板３の足を乗せる面上において作業者が足を踏み外したり、足場板３上から建設工具が落下することを防止できる。【選択図】図３
0003135198.tif 000002
【実用新案登録請求の範囲】
【請求項１】
基面上に立てて設けられる複数の支柱と、
該複数の支柱によって支持されて該支柱と交差する方向に延在し、互いに連続して配置される複数の足場板と、
該複数の足場板の少なくとも１つに取り付けられた柵と、を有し、
該柵は前記足場板の辺のうち他の足場板に連続する辺に隣接する一対の側辺の少なくとも１つに回動可能に取り付けられる
ことを特徴とする建築用足場。
【請求項２】
請求項１記載の建築用足場において、前記柵は、前記足場板の足を乗せる面に面状に接触する位置と、当該足を乗せる面に対して略９０°の角度を成す位置との間で回動可能であることを特徴とする建築用足場。
【請求項３】
請求項１又は請求項２記載の建築用足場において、前記柵はヒンジを介して前記足場板に取り付けられていることを特徴とする建築用足場。
【請求項４】
請求項１から請求項３のいずれか１つに記載の建築用足場において、該柵を、前記足場板の足を乗せる面に面状に接触する位置及び前記足を乗せる面に対して略９０°の角度を成す位置のそれぞれに固定する固定手段を有することを特徴とする建築用足場。
【請求項５】
請求項１から請求項４のいずれか１つに記載の建築用足場において、前記柵を、前記足場板の足を乗せる面に対して立てた状態で前記支柱に連結して支持する支持手段をさらに有することを特徴とする建築用足場。
【請求項６】
請求項５記載の建築用足場において、前記支持手段は、
一方の端部が前記柵に接続された線状部材と、
該線状部材の他方の端部に設けられたリング部材とを有し、
前記リング部材は前記支柱の所定の高さ位置に落下しない状態で取付けられる
ことを特徴とする建築用足場。
【請求項７】
請求項１から請求項６のいずれか１つに記載の建築用足場において、
前記足場板は建築物の壁に沿って設けられ、
前記柵は前記足場板の前記建築物に対向する側辺及びその側辺の反対側の側辺のうちの少なくとも一方に取り付けられる
ことを特徴とする建築用足場。
【請求項８】
請求項１から請求項７のいずれか１つに記載の建築用足場において、
前記足場板は平面形状が長方形状であり、
前記柵は長方形状の前記足場板の長手方向の側辺に取り付けられる
ことを特徴とする建築用足場。
【請求項９】
請求項１から請求項８のいずれか１つに記載の建築用足場において、
前記柵の前記足場板に取り付けられた辺に隣接する辺の長さは３０ｃｍ〜１００ｃｍであることを特徴とする建築用足場。
【請求項１０】
請求項１から請求項９のいずれか１つに記載の建築用足場において、
前記柵の前記足場板に取り付けられた辺に隣接する辺の長さは、前記足場板の辺のうちの当該柵が取り付けられた側辺に隣接する側辺の長さの１／２以下である
ことを特徴とする建築用足場。
【考案の詳細な説明】
【技術分野】
【０００１】
本考案は、建築現場で用いられる足場、すなわち建築用足場に関する。
【背景技術】
【０００２】
建築現場で用いられる足場として、例えば鋼管足場が知られている。そして、この鋼管足場として、例えば単管足場や枠組足場が知られている。単管足場は、建築現場において鋼管（いわゆるパイプ）を組立てて形成される足場である。この単管足場は、鋼管を支柱（いわゆる建地）や支柱間を繋ぐ軸部材（いわゆる腕木又は布）として用い、それらの軸部材を継手金具や緊結金具等を用いて組立て、それらの軸部材間に足場板を架設することにより形成される。一方、枠組足場は、鋼管から成る支柱や軸部材を工場においてあらかじめ一定の枠状部材（いわゆる建枠）に加工し、その枠状部材と、ブレース（交差筋交い）と、足場板とを、建築現場において、挿しこみや引掛け程度の簡単な作業で組立てる足場である。
【０００３】
上記の建築用足場では、足場板上で作業する作業者が足場板から足を踏み外したり、建設工具等が足場板から落下することを防止するための構造が必要である。このような構造を有する足場として、従来、建枠間に配設されたブレースに手摺枠を設けたものが知られている（例えば、特許文献１参照）。この建築用足場では、手摺枠がブレースに回動可能に支持されている。手摺枠を回動させると、手摺枠の係止具が下降して作業者の近くに移動する。従って、作業者が背伸び等の姿勢をとることなく、手摺枠を足場に組み付ける作業又は取外す作業を効率的に行うことができる。
【０００４】
また、足場板の長手方向の側部に足場板に対して垂直方向に設けられた巾木とその巾木と足場板の間を塞ぐ塞ぎ板を有するものも知られている（例えば、特許文献２参照）。巾木は柵として用いられ、支柱である建枠に取り付けられている。この建築用足場では、塞ぎ板が巾木に対して回動可能に取り付けられており、巾木と塞ぎ板を保管時にコンパクトにすることができる。
【０００５】
【特許文献１】特開平９−２３５８７１号公報（第４〜５頁、図５）
【特許文献２】特開２００５−８３０５８号公報（第３頁、図２）
【考案の開示】
【考案が解決しようとする課題】
【０００６】
特許文献１に開示された足場においては、手摺枠は、ブレースに取り付けられていて、足場板とは別体である。そのため、組立て誤差により、足場板と手摺枠の間に大きな隙間が生じるおそれがある。このような隙間が生じると、作業者が足を踏み外したり、建設工具等が落下したりするおそれがある。
【０００７】
また、特許文献２に開示された足場においては、巾木は、建枠に取り付けられていて、足場板とは別体である。そのため、巾木と足場板との間に、やはり、大きな隙間が生じるおそれがある。特許文献２では、巾木に一体に設けられた塞ぎ板によって足場板と巾木の間の隙間を塞いでいるのであるが、部品点数が多く、足場の構成が複雑になるという問題があった。
【０００８】
本考案は、上記の問題点に鑑みて成されたものであって、足場の組立て状況にかかわらず手摺枠、巾木等のような柵と足場板との間に大きな隙間ができず、且つ簡単に構成できる建築用足場を提供することを目的とする。
【課題を解決するための手段】
【０００９】
本考案に係る建築用足場は、基面上に立てて設けられる複数の支柱と、該複数の支柱によって支持されて該支柱と交差する方向に延在すると共に互いに連続して配置される複数の足場板と、該複数の足場板の少なくとも１つに取り付けられた柵とを有する。該柵は前記足場板の辺のうち他の足場板に連続する辺に隣接する一対の側辺の少なくとも１つに回動可能に取り付けられている。上記構成において、基面は、複数の支柱が設置される面のことであり、足場の基礎となる面である。この基面としては、例えば地面、建物の床面等が考えられる。
【００１０】
本考案に係る建築用足場では、足場板の側辺に柵を取り付けることにより足場板と柵を一体に形成する構成としたので、足場の組立て誤差等によって足場板と柵の間に大きな隙間が形成されることがなくなった。その結果、足場板の足を乗せる面上において作業者が足を踏み外したり、足場板上から建設工具が落下することを防止できる。また、柵は足場板に対して回動可能に設けられているので、足場を組立てる際に柵を所定の立設位置に簡単にセットできる。また、足場を分解して各部品を保管する際にも、柵を回動させて畳むことにより、足場板と柵を保管し易い小さい形状にすることができる。
【００１１】
上記構成の建築用足場においては、前記足場板を建築物の壁に沿って設け、前記柵は前記足場板の前記建築物に対向する側辺及びその側辺の反対側の側辺のうちの少なくとも一方に取り付けることができる。また、前記足場板の平面形状は長方形状とすることができ、その場合、前記柵は長方形状の前記足場板の長手側の側辺に取り付けることができる。このようにして、足場板と柵の間に大きな隙間が無い建築用足場を、建築物の壁に沿って設置できる。
【００１２】
次に、本考案に係る建築用足場において、前記柵は、前記足場板の足を乗せる面に面状に接触する位置と、当該足を乗せる面に対して略９０°の角度を成す位置との間で回動可能であることが望ましい。ここで、足場板の足を乗せる面は、足場において作業者が乗って移動や作業等を行う面のことである。また、足場を乗せる面に対して略９０°の角度を成す位置とは、足場板を支持する支柱の軸線方向と略平行の位置である。
【００１３】
本構成の建築用足場では、足場板を支柱から取り外すことによって建築用足場を分解した状態では、足場板の足を乗せる面に面状に接触する位置に柵を配置することができる。こうすれば、足場板を支柱から外して保管する際に、足場板と柵を保管し易い小さい形状にすることができる。一方、建築用足場を組立てる際には、足場板の足を乗せる面に対して略９０°の角度を成す位置まで柵を回動させるだけで、柵を所望の立設状態に簡単に設置できる。そしてその柵は、作業者が足を踏み外したり、建設工具が落下すること等を防止する柵、いわゆる安全柵として機能する。
【００１４】
次に、本考案に係る建築用足場において、前記柵はヒンジ（すなわち蝶番）を介して前記足場板に取り付けられていることが望ましい。ヒンジは、継手具として働く部材である。ヒンジとしては、例えば、図４に符号２３で示すように、２つの筒形状の軸部材同士が互いに軸回りに回転可能に連結された構造を有する。このようなヒンジを介して足場板に柵を取り付ければ、足場板に取り付けられた柵を回動させることができる。また、ヒンジは、一般に小さな部材である。そのヒンジを介して柵を足場板に取り付ければ、足場板と柵との隙間を小さくすることができる。その結果、足場板の足を乗せる面上において作業者が足を踏み外したり、足場板上から建設工具が落下することを防止できる。
【００１５】
次に、本考案に係る建築用足場は、前記柵を、前記足場板の足を乗せる面に面状に接触する位置及び前記足を乗せる面に対して略９０°の角度を成す位置のそれぞれに固定する固定手段を有することが望ましい。この固定手段としては、例えば、柵の適所にマグネットを設け、そのマグネットによって柵を磁気吸着によって支柱又は足場板に固定する構成が考えられる。足場板の足を乗せる面に面状に接触する位置で柵を固定すれば、足場板を運搬したり保管する際に柵が徒に動くことを防止でき、足場板の取扱いを容易にすることができる。一方、足を乗せる面に対して略９０°の角度を成す位置で柵を固定すれば、作業者や建設工具等が柵に接触した場合に柵が所定の立設位置から簡単に外れてしまうことを防止できるので、足場上での作業の安全性を確保できる。
【００１６】
次に、本考案に係る建築用足場は、前記柵を、前記足場板の足を乗せる面に対して立てた状態で前記支柱に連結して支持する支持手段をさらに有することが望ましい。この支持手段は、例えば、一方の端部が前記柵に接続された線状部材と、該線状部材の他方の端部に設けられたリング部材とを用いて構成することができる。線状部材としては、例えば、金属製又はプラスチック製の鎖や同様の材質のロープ等が考えられる。また、リング部材は、例えば鋼管を輪切りにしたり、鋼板をリング状に曲げることによって形成できる。
【００１７】
リング部材は前記支柱の所定位置の外周に嵌合して当該支柱の軸線と平行の方向へ移動しないように支持される。リング部材の支持状態は、例えば、リング部材が支柱の軸線の方向へ自重で動かない程度にきつく嵌合する構成や、支柱の外周面にリング部材の落下又は降下を阻止する突出部を設ける構成等が考えられる。リング部材が前記支柱の所定位置に取り付けられることにより、前記柵が前記支柱に連結されて支持される。このように柵を支柱によって支持すれば、仮に、柵を立設した状態において当該柵の位置を固定する上記の固定手段に不具合が生じたとしても、柵が倒れることを防止できる。
【００１８】
次に、本考案に係る建築用足場において、前記柵の前記足場板に取り付けられた辺に隣接する辺の長さは、３０ｃｍ〜１００ｃｍであることが望ましい。柵の辺の長さをこのように設定すれば、その柵は立設状態において、足場上で作業を行う作業者に対する安全柵又は安全手摺として機能する。また、前記柵の前記足場板に取り付けられた辺に隣接する辺の長さは、前記足場板の辺のうちの当該柵が取り付けられた側辺に隣接する側辺の長さの１／２以下であることが望ましい。こうすれば、柵を折畳んだ際に、足場板を保管し易い小さい形状にすることができる。特に、足場板の両方の側面に柵を取り付けた場合には、柵を折畳んだ状態で、当該柵同士が平面的に重なることがなくなるので、より小さい形状にすることができる。
【考案の効果】
【００１９】
本考案に係る建築用足場によれば、足場板の側辺に柵を取り付けたので、足場板と柵とは一体である。そのため、建築用足場の組立て時に組立て誤差が生じても足場板と柵の間に大きな隙間が形成されることがなくなった。その結果、足場板の足を乗せる面上において作業者が足を踏み外したり、足場板上から建設工具が落下することを防止できる。また、柵は足場板に対して回動可能に設けられているので、建築用足場を組立てる際に柵を持ち上げて回動させるだけで所望の立設状態に簡単に設置できる。また、足場板を支柱から取り外して保管する際にも、柵を足場板に対して面接触する状態に回動させることにより、足場板と柵を保管し易い小さい形状にすることができる。
【考案を実施するための最良の形態】
【００２０】
（建築用足場の第１実施形態）
以下、本考案に係る建築用足場を一実施形態に基づいて図面を用いて説明する。なお、本考案がこの実施形態に限定されないことは、もちろんである。
図１は、本考案に係る建築用足場を建築物の壁の外側に設置した場合の一実施形態を示している。図２は、支柱と足場板の連結部分を拡大して示している。図２は、図１の矢印Ｚ１で示す部分を矢印Ｚ２方向から見た状態を示す図であり、支柱と足場板が連結する前の状態を示す分解斜視図である。また、図３は、図２のＺ３−Ｚ３線に従った断面構造を示しており、足場板が支柱によって支持された状態を示している。
【００２１】
図１において、建築用足場１は、複数の支柱２と、支柱２に連結されて支持された複数の足場板３と、個々の足場板３に取り付けられた柵７とを有する。柵７と足場板３は１つのユニットとなっている。個々の支柱２は、基面としての地面１０上に、当該地面１０に対して垂直に立てて設けられている。ここでいう垂直とは、基面に対して厳密に９０°の角度に限られず、９０°から少し傾いた状態を含んでいる。
【００２２】
支柱２は、複数個が建築物の壁面１１の外側に、その壁面１１に沿って配設されている。具体的には、壁面１１に近い側の支柱２ａと、壁面１１から遠い側の支柱２ｂとが一対となって支柱対２０を構成し、その支柱対２０の複数が壁面１１に沿って、所定の間隔をおいて配置されている。そして、互いに隣接する支柱対２０の間に、長方形状の足場板３が設けられている。支柱対２０同士の間隔は、足場板３の長手方向の長さと略同じである。
【００２３】
柵７は、足場板３の各側辺のうちの壁面１１に対向した長手側側辺３ａ及びそれと反対側の長手側側辺３ａに設けられている。壁面１１から遠い側の側辺に設けられた柵７は図を分かり易くするために鎖線で示している。これらの柵７は、足場板３に一体に設けられ、しかも当該足場板３に対して回動可能となっている。
【００２４】
個々の支柱２の上端部の所定の高さ位置の外周面上に受具４が設けられている。また、個々の支柱２は高さ調節機構８ａを介してベース金具８に取り付けられている。支柱２は、例えば中空のパイプである鋼管を用いて構成される。個々の鋼管の長さは、例えば２ｍ〜３ｍである。なお、支柱２は、中空の鋼管に代えて中実の軸部材を用いて構成することもできる。また、図示は省略するが、１つの支柱２には、例えば連結ピン等といった連結部材を用いて軸線Ｘ０の方向、すなわち地面１０に対して垂直方向に、他の支柱２を連結することができる。複数の支柱２をこのように連結することにより、支柱２を軸線Ｘ０方向に延長することができる。これにより、高い足場を形成したり、複数段の足場を形成することができる。高さ調節機構８ａを介して支柱２の下端に設けられたベース金具８は、その底面の面積が、例えば個々の支柱２が安定して立つことができる程度に広く形成されている。高さ調節機構８ａにより、支柱２の高さを所定範囲で調節することができる。
【００２５】
支柱２の上端部に設けられた受具４は、例えば金属製であって溶接によって支柱２に固着されている。この受具４は、図２に示すように、支柱２の軸線Ｘ０周りで１８０°の対称位置に２個設けられている。なお、受具４は、支柱２の軸線Ｘ０周りで９０°の角度間隔で４個配置することもできる。また、軸線Ｘ０に沿った方向における個々の受具４の位置（すなわち、受具４の高さ方向の位置）を互いに異ならせて配置することもできる。すなわち、個々の受具４を、図の上下方向に少しずれた位置に形成することもできる。個々の受具４の上側の面４ａは、図３に示すように、支柱２の軸線Ｘ０に対して直角な平面となっている。この面４ａは、足場板３が受具４に連結した状態で、足場板３の構成要素である枠体２１（後述する）が当接する受面である。
【００２６】
図２において、個々の受具４には、支柱２の軸線Ｘ０と平行の方向に当該受具４を貫通する貫通穴６が設けられている。この貫通穴６の上端の開口６ａは長方形状である。この貫通穴６の軸線Ｘ０と直角方向の断面形状は、図３から分かるように、軸線Ｘ０に沿って均一な形状となっている。つまり、貫通穴６の幅Ｗ３は軸線Ｘ０に沿って一定である。この貫通穴６は、足場板３の構成要素である連結具１２（後述する）が嵌合する穴である。
【００２７】
図４は、図１の足場板３及び柵７によって構成された足場板ユニットを分解状態で示している。足場板３は、十分な耐荷重性を有する基礎構造体である枠体２１と、この枠体２１の一方の面（図の上側面）に設けられた足踏み板２２とを有する。足踏み板２２は、例えば溶接によって枠体２１に固着される。枠体２１は、中空で筒状のパイプ部材を、平面的に見てはしご状に組立てて形成されている。枠体２１は荷重を支える基礎構造体であるので、パイプ材は十分な強度を有する材料、例えば鋼管等によって形成される。なお、図４では、枠体２１を断面が四角形のパイプ部材を用いて構成しているが、これに代えて、断面が円形状、楕円形状等のパイプ部材を用いることもできる。また、枠体２１は、中空のパイプ部材に代えて中実（すなわち、中空ではなく内部が詰まった構造）の軸部材を用いて構成することもできる。
【００２８】
足踏み板２２は、鋼製で長方形状の枠部材２２ａと、その枠部材２２ａの枠内に設けられた網板２２ｂとによって構成されている。網板２２ｂは、複数の鋼製の線材を均等な網目状に交差させることによって形成されている。この網板２２ｂの網目は細かく形成されており、作業者の足や建設工具等が通り抜けることができる程度の大きな穴はこの網板２２ｂには形成されていない。網板２２ｂの外周の全域は枠部材２２ａの内周面に接合されている。なお、網板２２ｂの外周の全域を枠部材２２ａで挟持することもできる。この足踏み板２２のうちの枠体２１と反対側の面が、図１に示す足場板３の上側の面、すなわち足を乗せる面となる。
【００２９】
図４に示す足場板３において足踏み板２２が設けられた側と反対側の枠体２１上の四隅のそれぞれに、連結具１２が設けられている。連結具１２は枠体２１から突出する突起部材である。各連結具１２は、足場板３の長手方向に沿った矢印Ｅ方向から見て、四角形状又はＵ字形状の枠状に形成されている。この連結具１２は、例えば帯状の金属板を折り曲げることによって形成できる。各連結具１２は、図１において支柱２の受具４にそれぞれ連結される。
【００３０】
図２において、連結具１２の幅Ｗ２は、貫通穴６の開口６ａの幅Ｗ３よりもわずかに小さく設定されており、そのため、連結具１２は貫通穴６内に挿入された状態でその貫通穴６に緩く嵌合する。この嵌合状態において、支柱２の軸線Ｘ０に直角な方向への足場板３の移動、すなわちガタツキを規制することができる。この場合、連結具１２の幅Ｗ２が小さ過ぎると、足場板３のガタツキが大きくなり過ぎる。そのため、連結具１２の幅Ｗ２と開口６ａの幅Ｗ３の差は、連結具１２を貫通穴６に挿入し易く、しかし大きいガタツキがない程度の適切な値に設定される。
【００３１】
次に、柵７は、図４に示す足場板３の足踏み板２２と同様に、鋼製で長方形状の枠部材７ａと、その枠部材７ａの枠内に設けられた網板７ｂとによって構成されている。網板７ｂは、複数の鋼製の線材を均等な網目状に交差させることによって形成されている。この網板７ｂの網目は細かく形成されており、作業者の足や建設工具が通り抜けることができる程度の大きな穴はこの網板７ｂの平面内には形成されていない。網板７ｂの外周の全域は枠部材７ａの内周面に接合されている。なお、網板７ｂの外周の全域を枠部材７ａによって挟持することもできる。
【００３２】
柵７は、複数のヒンジ２３によって足場板３に回動可能に取り付けられている。ヒンジ２３は、足場板３の両方の長手側側辺のそれぞれに３個ずつ、合計で６個設置されている。図４では構造を見易くするために足場板３の手前側のヒンジの図示を省略している。個々のヒンジ２３は、２個の筒形状の軸部材を軸線Ｘ１を中心として相対的に回転可能に連結した構成となっている。そして、各軸部材のそれぞれに取付片２３ａ及び２３ｂが設けられている。ヒンジ２３の軸部材は、例えば鋼管等を用いて形成される。また、取付片２３ａ及び２３ｂは、例えば金属板を軸部材の外周部分に溶接、ボルト止め等によって固着することにより設けられる。このようなヒンジ２３は、通常、それ自体が１つのユニットとして市場に供給されることが多い。
【００３３】
ヒンジ２３の一方の取付片２３ａが足場板３に固着され、他方の取付片２３ｂが柵７に固着される。具体的には、ヒンジ２３の一方の取付片２３ａを、矢印Ｚ４で示すように、足場板３の足踏み板２２の枠部材２２ａの側辺部分の主面（外周面でない広い面）上に、例えば溶接、ボルト止めによって固着する。このとき、ヒンジ２３の全体が枠部材２２ａの外側へ張り出さないように取り付ける。また、ヒンジ２３の他方の取付片２３ｂを、矢印Ｚ５で示すように、柵７の枠部材７ａの側辺部分の主面（外周面でない広い面）上に、例えば溶接によって固着する。このように柵７と足場板３とをヒンジ２３を介して連結することにより、柵７は足場板３に対して、図５（ａ）に示す折畳み状態と、図５（ｂ）に示す立設状態との間で回動できる。折畳み状態は、柵７が足場板３に対して畳まれた状態である。立設状態は、柵７が足場板３の足を乗せる面に対して略９０°の位置にセットされた状態である。
【００３４】
なお、ヒンジ２３の変形態様として次の構成も考えられる。すなわち、取付片２３ａ，２３ｂを用いることなく、一対の軸部材の一方を足場板３に直接に固着し、他方の軸部材を柵７に直接に固着し、足場板３側の軸部材と柵７側の軸部材との位置を合わせた上で、それらの軸部材の軸穴部分に止めピンを貫通させる。この構成により、足場板３と柵７とを止めピンを中心として回転可能な状態で、ヒンジによって連結できる。
【００３５】
図５（ａ）において、個々の柵７の短手方向の幅（すなわち、足場板３に取り付けられた辺に隣接する辺の長さ）Ｗ１は、この柵７が図５（ｂ）に示す立設状態にセットされたときに作業者が足を踏み外すのを防止したり、工具の落下を防止したりできる長さ、例えば３０ｃｍ以上とすることができる。また、柵７の短手方向の幅Ｗ１は、立設状態時に作業者が柵７を手摺として活用できる長さ、例えば１００ｃｍ程度とすることもできる。
【００３６】
また、本実施形態において、個々の柵７の短手方向の幅Ｗ１は、図５（ａ）に示す折畳み状態において、足場板３の両方の長手側辺に設けられた柵７の先端部分同士が平面的に重ならない程度の幅に設定されている。すなわち、柵７の短手方向の幅Ｗ１は足場板３の短手方向の幅Ｗ０の半分以下、すなわち１／２以下に設定されている。こうすれば、足場板３の両側辺３ａに設けた柵７を折畳み状態にセットしたときに、それらの柵７同士が平面的に重なり合うことを防止でき、その結果、足場板３を扱い易い小さい形状にすることに関して有利である。
【００３７】
なお、実際の建設現場を考慮した場合、柵７の幅Ｗ１が長いときには、足場板３の幅Ｗ０を柵７の幅Ｗ１の２倍以上に設定できない場合がある。この場合には、一対の柵７を折畳んだ状態で、それら一対の柵７の先端部分が互いに重なり合う状態になる。柵７の幅Ｗ１を足場板３の幅Ｗ０の１／２以下に設定して一対の柵７の重なり合いを回避するか、あるいは、柵７の幅Ｗ１を足場板３の幅Ｗ０の１／２以上に設定して一対の柵７の重なり合いを許容するかについては、建設現場の要望に応じて適宜に選択する。
【００３８】
図４において、柵７の回動先端側の２つの角部のそれぞれに固定手段としての固定具２８が設けられている。この固定具２８は、柵７が図５（ａ）の折畳み状態及び図５（ｂ）の立設状態のそれぞれの位置にあるときに、柵７をそれらの位置に固定するための機構である。この固定具２８は、図４において、柵７の枠部材７ａの折畳んで内側となる面（以下、単に内側面という）上に設けられた鋼板製のブラケット２９と、このブラケット２９の一方の面（内側面）に設けられたマグネット３０ａと、ブラケット２９の他方の面（外側面）に設けられたマグネット３０ｂとを有している。
【００３９】
個々のブラケット２９は、柵７の枠部材７ａの短手側側辺の内側面上であって、柵７の開放側（上側）端部に設けられている。これらのブラケット２９は、例えば溶接、ボルト止めによって枠部材７ａに固着されている。ブラケット２９に設けられた内面側のマグネット３０ａは、柵７を図５（ａ）の折畳み状態にセットしたときに足場板３の枠部材２２ａに当接する位置に設けられている。柵７を折畳み状態に置いたときには、マグネット３０ａが枠部材２２ａに磁気吸着して柵７が位置不動に固定される。他方、図４の外面側のマグネット３０ｂは、柵７を図５（ｂ）の立設状態にセットしたときに図３において支柱２の外周面に当接する位置に設けられている。柵７を立設状態に置いたときには、マグネット３０ｂが支柱２の外周面に磁気吸着して柵７が位置不動に固定される。
【００４０】
なお、固定具２８の構成は、柵７の位置を位置不動に固定できる構成であれば、上記のような磁気吸着構造に限られない。例えば、柵７に機械的な把持機構を設置し、折畳み状態において把持機構によって足場板３を把持し、立設状態において把持機構によって支柱２を把持する構成とすることもできる。また、柵７と足場板３とを繋ぐヒンジ２３のそれ自体に、角度０°及び角度９０°の２ヶ所で回動を禁止できるストッパ機構を設けることもできる。
【００４１】
次に、図１において、柵７の開放側（上側）の２箇所の角部に、当該柵７を支柱２に連結する支持機構が設けられている。この支持機構は、把持部材としてのリング部材２６と、線状部材である鎖２７とを有している。鎖２７は金属製の複数の小さなリング要素を繋ぎあわせてつくった変形自在な線状の部材である。その鎖２７の一方が柵７の上側の角部に、例えば溶接、ボルト止めによって接続されている。また、鎖２７の他方はリング部材２６に、例えば溶接、ボルト止めによって接続されている。リング部材２６は、部分図（ａ）に拡大して示すように、平面的に見て半円状の部材が、例えばヒンジ等によって互いに回動可能に連結されており、開閉可能となっている。このリング部材２６は、閉じた状態において支柱２に強く嵌合して落下しないようになっている。リング部材２６を支柱に取り付けるには、リング部材２６を開いて支柱２へ装着し、その後、リング部材２６を閉じて支柱２に嵌め合わせる。こうして、柵７は、リング部材２６と鎖２７とから成る支持機構によって支柱２に支持される。
【００４２】
仮に固定具２８に何等かの不具合が生じて柵７が倒れようとした場合においても、リング部材２６及び鎖２７によって柵７の動きを規制できるので、作業者は安全に作業を行うことができる。つまり、リング部材２６及び鎖２７から成る支持機構は、固定具２８によって位置不動に固定された柵７を補助的に支持する機構として用いられている。なお、場合によっては、この支持機構２６，２７を、固定具２８に代えて、柵７を固定する固定具として用いることもできる。
【００４３】
なお、本実施形態では、リング部材２６を支柱２にきつく嵌合させることによって、そのリング部材２６の落下を阻止する構成を採用したが、これに代えて、リング部材２６そのものは支柱２に緩く嵌合する状態に形成しておいて、リング部材２の落下を阻止するための突起部を支柱２の適宜の高さ位置に設ける構成を採用しても良い。
【００４４】
以下、図１の建築用足場１を組立てる手順を説明する。まず、内側支柱２ａ及び外側支柱２ｂを壁面１１に対する所定位置に設置する。必要に応じて補助部材、例えば筋交い等によって補強する。次に、支柱２ａ，２ｂの受具４に足場板３の連結具１２を連結する。具体的には、図３に示すように、受具４の貫通穴６に連結具１２を差し込む。連結具１２と貫通穴６の嵌合により、支柱２の軸線Ｘ０に直角な方向（水平方向）の足場板３の位置が決められる。また、受具４の受面４ａと枠体２１の表面が当接することにより、支柱２の軸線Ｘ０に平行な方向（高さ方向）の足場板３の位置が決められる。このようにして足場板３が支柱２によって支持される。なお、このとき、足場板３に設けられた柵７は図５（ａ）に示す折畳み状態になっている。そして、固定具２８によって固定されている。
【００４５】
次に、固定具２８のマグネット３０ａを足場板３の枠部材２２ａから外して柵７を回動自在な状態にする。そして、折畳まれていた柵７を図３の矢印Ｚ６で示すように約９０°回動させて立設状態になるように立てる。この状態で、固定具２８のマグネット３０ｂを支柱２の外周面に磁気吸着させて柵７を位置不動に固定する。その後、柵７に連結した図１のリング部材２６を支柱２に嵌め合わせることにより、建築用足場１が組立てられる。
【００４６】
ところで、従来の建築用足場では、手摺枠等といった柵と足場板とが個別の部材として用意され、それらを組立てて足場を形成していた。そのため、足場の組立て誤差等により、足場板と柵との間に大きな隙間が生じるおそれがあった。このような隙間が生じると、足場に乗った作業者が足を踏み外したり、足場の上から建設工具等の小さい物が落下するおそれがあった。また、足場板と柵の間にできた隙間を、柵に一体に設けられた塞ぎ板によって塞ぐ構成の建築用足場が従来から知られているが、この構成では部品点数が多く、足場の構成が複雑になるという問題があった。
【００４７】
これに対し、本実施形態の建築用足場では、図１に示すように、足場板３の長手側側辺３ａに柵７を直接に取り付けて、足場板３と柵７とを一体に形成する構成とした。これにより、足場１の組立て時に組立て誤差等が生じたとしても、足場板３と柵７の間に大きな隙間が形成されることがなくなる。その結果、足場板３の足を乗せる面上において、作業者が足を踏み外したり、足場板３上から建設工具等の小さい物が落下することを防止できる。
【００４８】
また、建築用足場１を組立てる際には、図５（ａ）の折り畳み状態にある柵７を持ち上げ方向へ回動させるだけの簡単な作業で、柵７を図１における所定の立設位置にセットできる。他方、建築用足場１を分解する際には、柵７を下げる方向へ回動させて図５（ａ）に示す折畳み状態にセットすることにより、足場板３と柵７とを取り扱い易い小さな形状にすることができる。
【００４９】
また、図４に示すように、柵７はヒンジ２３を介して足場板３に取り付けられている。このヒンジ２３は、柵７に固着される側と足場板３に固着される側とが軸線Ｘ１を中心として相対的に回動することができるので、柵７を足場板３に対して、折畳み状態と立設状態との間で滑らかに回動させることができる。また、ヒンジ２３は比較的小さな部材であるので、柵７と足場板３との隙間を小さくできる。その結果、足場板３上において作業者が足を踏み外したり、足場板３上から工具が落下することを防止することに関して非常に有利である。
【００５０】
また、本実施形態では、図３に示すように、ヒンジ２３の全体が足場板３の側辺部分３ａの外側へ張り出さないように設けられている。これにより、柵７と足場板３との間にはヒンジ２３の高さ分に相当する隙間が図３の紙面垂直方向で互いに隣接するヒンジ２３同士の間であって軸線Ｘ０に直角の方向（図の左右方向）に形成されるが、柵７と足場板３との間で軸線Ｘ０と平行の方向（図の上下方向）には隙間は形成されない。仮に、上下方向に隙間が存在すると、建設工具等が足場板３上を移動して柵７に達する前にその隙間から落下するおそれがあるのであるが、本実施形態では、足場板３を上下方向に貫通する隙間が形成されていないので、足場板３上から工具が落下することを確実に防止できる。
【００５１】
本実施形態では、柵７と足場板３との間にヒンジ２３を設けたことにより、足場板３の足を乗せる面に平行な方向（すなわち、図３の左右方向）に、ヒンジ２３の高さ分に相当する隙間が形成される。しかしながら、ヒンジ２３は建設工具や作業者の足に比べて小さい部材であるので、そのヒンジ２３に起因して形成された隙間は建設工具等が落下することがない程度の小さいものである。
【００５２】
（建築用足場の第２実施形態）
次に、本考案に係る建築用足場の第２の実施形態を説明する。本実施形態に係る建築用足場の全体的な構成は図１に示した第１実施形態の場合と同じである。また、建築用足場を構成する個々の足場板の構成も図４に符号３で示す構成と同じである。図６は、本実施形態に係る建築用足場の主要部を分解状態で示している。図７は、組立てられた状態の建築用足場におけるヒンジ部分の断面構造を図２のＺ３−Ｚ３線、すなわち図６のＺ３−Ｚ３線に従って示している。
【００５３】
本実施形態が第１実施形態と異なる点は次の点である。第１実施形態では、図３に示すように、ヒンジ２３を足場板３の外周側面の外側へ張り出さない位置、すなわち足場板３の主面内領域に設ける構成とした。これに対し、本実施形態では、ヒンジの配設位置に改変を加えている。以下、本実施形態の建築用足場の詳細を図６及び図７を用いて説明する。
【００５４】
図７において、支柱２、受具４及び連結具１２のそれぞれの構成は、図３に示した先の実施形態と同じである。また、図７の足場板３及び柵７のそれぞれの構成も図３に示した先の実施形態と同じである。本実施形態では、図７に示すように、足場板３の足踏み板２２の外周側面の外側部分（図の左側部分）にヒンジ３３を取り付けている。つまり、柵７は足場板３の外周側面の外側へ張り出して設けられている。
【００５５】
本実施形態において、ヒンジ３３は、図６において、足場板３の両方の長手側側辺のそれぞれに３個ずつ、合計で６個設置されている。なお、図６では、構成を分かり易く示すために片側の３個のヒンジのみを図示している。個々のヒンジ３３は、図４に示した先の実施形態の場合と同様に、相対回転可能である一対の軸部材のそれぞれに取付け辺３３ａ及び３３ｂを固着させた構成を有している。なお、図６の柵７側の取付片３３ｂの軸部材への固着状態は図４の柵７側の取付片２３ｂと同じであるが、図６の足場板３側の取付片３３ａの軸部材への固着状態は図４の足場板３側の取付片２３ａの軸部材への固着状態と異なっている。
【００５６】
図６において、ヒンジ３３の一方の取付片３３ａは、矢印Ｚ４で示すように足場板３を構成する足踏み板２２の枠部材２２ａの主面上ではなく外周側面上に、例えば溶接、ボルト止めによって固着される。また、ヒンジ３３の他方の取付片３３ｂは、矢印Ｚ５で示すように柵７の枠部材７ａの主面上ではなく外周側面上に、例えば溶接、ボルト止めによって固着される。こうして、足場板３と柵７とがヒンジ３３によって互いに回転可能に連結される。そして、柵７は、図５（ａ）に示す折り畳み状態と、図５（ｂ）に示す立設状態との間で足場板３に対して回動可能となる。
【００５７】
本実施形態においても図１の建築用足場１は、先の第１実施形態と同様にして組立てる。つまり、図２に示すように、支柱２に設けられた受具４の貫通穴６に足場板３の連結具１２を差し込む。こうして柵７が折畳み状態にある足場板３が、支柱２に連結されて支持される。次に、図５（ａ）に示す状態において、固定具２８のマグネット３０ａを足場板３の枠部材２２ａから外し、さらに柵７を図７の矢印Ｚ６で示すように約９０°回動させて立設状態になるように立てる。この状態で、固定具２８のマグネット３０ｂを支柱２の外周面に磁気吸着させて柵７を位置不動に固定する。その後、柵７に連結した図１のリング部材２６を支柱２に嵌め合わせることにより、建築用足場１が組立てられる。
【００５８】
本実施形態の建築用足場においても、足場板３の側辺３ａに柵７を取り付けて、足場板３と柵７とを一体に形成する構成とした。これにより、建築用足場１の組立て時に組立て誤差等が生じても足場板３と柵７の間に大きな隙間が形成されることがなくなった。その結果、足場板３の足を乗せる面上において、作業者が足を踏み外したり、足場板３上から建設工具等の小さい物が落下することを防止できる。
【００５９】
また、本実施形態では、図７に示すように、ヒンジ３３を足場板３の外周側面の外側に張り出して設けた。この構成では、足場板３と柵７の間には、ヒンジ３３の幅分に相当する隙間が軸線Ｘ０に平行（上下方向）に形成されることになる。しかしながら、ヒンジ３３は建設工具や作業者の足に比べて小さい部品であるので、ヒンジ３３によって形成される上記の隙間は建設工具等が落下することが無い程度の小さいものである。
【００６０】
また、本実施形態では、ヒンジ３３を足場板３の外周側面上に、当該側面から張り出すように設置したので、柵７を畳んで折畳み状態としたときに、柵７の主面と足場板３の主面（すなわち足を乗せる面）の間にヒンジ３３が介在しない。その結果、柵７の内側面と足場板３の足を乗せる面の密着性を高めることができ、建築用足場１（図１参照）を分解した際に足場板３と柵７をより小さな形状にすることができる。
【００６１】
（建築用足場の第３実施形態）
次に、本考案に係る建築用足場の第３の実施形態を説明する。本実施形態に係る建築用足場の全体的な構成も図１に示した第１実施形態の場合と同じである。図８は、本実施形態に係る建築用足場の主要部を分解状態で示している。第２実施形態では、図６及び図７に示すように、柵７を、所定の間隔を置いて３箇所に配置されたヒンジ３３を用いて、足場板３に回動可能に取り付けた。そのため、隣接するヒンジ３３同士の間であって柵７と足場板３との間には、ヒンジ３３の高さ分に相当する隙間が支柱２（図７参照）の軸線Ｘ０に平行の方向に形成されていた。これに対し、本実施形態では、ヒンジの形状に改変を加えることにより、そのような隙間が生じないように工夫している。以下、本実施形態の建築用足場の詳細を図８を用いて説明する。
【００６２】
図８において、足場板３及び柵７のそれら自体の構成は、図６に示した第２実施形態と同じであり、その説明は省略する。本実施形態では、図８に示すように、一つのヒンジ４３が柵７の長手方向の長さと略同じ長さに形成されている。このヒンジ４３には、３箇所の回動部分が互いに等間隔で設けられており、それらの回動部分の間は筒形状の軸部材によって繋がっている。つまり、ヒンジ４３は、図６に示した３個のヒンジ３３の軸部材を延長し且つ接続させて一体に形成した構成となっている。
【００６３】
図８において、ヒンジ４３の一方の取付片４３ａは、矢印Ｚ４で示すように足場板３の足踏み板２２の枠部材２２ａの外周側面上に、例えば溶接、ボルト止めによって固着されている。この取付片４３ａは、ヒンジ４３の軸線Ｘ１に沿って当該ヒンジ４３の長手方向の全域に設けられており、その全面が枠部材２２ａの側面に固着されている。また、ヒンジ４３の他方の取付片４３ｂは、矢印Ｚ５で示すように柵７の枠部材７ａの外周側面上に、例えば溶接、ボルト止めによって固着されている。ヒンジ４３と枠部材７ａとは、３箇所で接続されている。
【００６４】
ヒンジ４３を以上のように柵７と足場板３とに固着することにより、柵７がヒンジ４３によって足場板３に取り付けられる。ヒンジ４３も、図６のヒンジ３３と同様に、図８の柵７に固着される側と足場板３に固着される側とが軸線Ｘ１を中心にして互いに回動することができる。従って、柵７は足場板３に対して、図５（ａ）の折畳み状態と図５（ｂ）の立設状態との間で回動することができる。
【００６５】
本実施形態の建築用足場においても、図８に示すように、足場板３の長手側側辺３ａに柵７を取り付けて、足場板３と柵７とを一体に形成する構成とした。これにより、建築用足場１の組立て時に組立て誤差等が生じても足場板３と柵７の間に大きな隙間が形成されることがなくなる。その結果、足場板３の足を乗せる面上において、作業者が足を踏み外したり、足場板３上から建設工具等の小さい物が落下することを防止できる。
【００６６】
なお、本実施形態では、柵７の長手方向の長さと略同じ長さを有するヒンジ４３を用いて、足場板３に柵７を取り付ける構成としたので、足場板３と柵７との間の全領域においてヒンジの高さ分に相当する隙間が形成されなくなった。そのため、足場板３の足を乗せる面上において、作業者が足を踏み外したり、足場板３上から建設工具等の小さい物が落下することを、より確実に防止できる。
【００６７】
（その他の実施形態）
以上、好ましい実施形態を挙げて本考案を説明したが、本考案はその実施形態に限定されるものでなく、請求の範囲に記載した考案の範囲内で種々に改変できる。
例えば、上記の第１実施形態では、図５（ａ）及び図５（ｂ）において、ヒンジ２３は、足場板３の片側の長手側側辺３ａに所定の間隔を置いて３箇所、両側で６箇所配設する構成とした。しかしながら、ヒンジ２３は、柵７を足場板３に回動可能に支持することができればその個数に限られない。例えば、側辺３ａの１箇所にヒンジを配置する構成でも良いし、３箇所以上にヒンジを配置する構成でも良い。
【００６８】
また、上記の各実施形態では、図１に示したように、建築物の壁面１１の外側に（すなわち屋外に）建築用足場１を設置する場合を例示した。しかしながら、建築用足場１は、建築物の内側（すなわち、室内）に設置することもできる。このような建築用足場１を用いて建築物の内装工事を行うことができる。また、図１の柵７は網目状に形成したが、これを単なる板状部材によって形成しても良い。この板状部材は、鋼板でも良いし、プラスチック板でも良い。
【図面の簡単な説明】
【００６９】
【図１】本考案に係る建築用足場の一実施形態を示す斜視図である。
【図２】図１の主要部を拡大して示す分解斜視図である。
【図３】支柱と足場板の連結部分を示す図である。
【図４】足場板と柵の連結構造を分解状態で示す斜視図である。
【図５】互いに連結された足場板及び柵を示す斜視図であり、（ａ）は柵が折畳み状態にある場合を示し、（ｂ）は柵が立設状態にある場合を示している。
【図６】本考案に係る建築用足場の他の実施形態の主要部を示す分解斜視図である。
【図７】図６の足場板と支柱の連結部分を示す図である。
【図８】本考案に係る建築用足場のさらに他の実施形態の主要部を示す分解斜視図である。
【符号の説明】
【００７０】
１．建築用足場、  ２．支柱、  ２ａ．壁面に近い側の支柱、  
２ｂ．壁面から遠い側の支柱、  ３．足場板、  ３ａ．足場板の側辺、  ４．受具、
４ａ．受面、  ６．貫通穴、  ６ａ．開口、  ７．柵、  ７ａ．枠部材、  ７ｂ．網板、  ８．ベース金具、  ８ａ．高さ調節機構、  １０．地面（基面）、  １１．建築物の壁面、  １２．連結具、  ２１．枠体、  ２２．足踏み板、
２２ａ．枠部材、  ２２ｂ．網板、  ２３，３３，４３．ヒンジ、
２３ａ，２３ｂ，３３ａ，３３ｂ，４３ａ，４３ｂ．取付片、  
２６．リング部材、  ２７．鎖（線状部材）、  
２８．固定具、  ２９．ブラケット、  ３０ａ，３０ｂ．マグネット、  
Ｗ０．足場板の短手方向の幅、  Ｗ１．柵の短手方向の幅、  Ｗ２．連結具の幅、  
Ｗ３．貫通穴の幅、  Ｘ０．支柱の中心軸線、  Ｘ１．ヒンジの回動中心軸線
【図１】
0003135198.tif 000003
【図２】
0003135198.tif 000004
【図３】
0003135198.tif 000005
【図４】
0003135198.tif 000006
【図５】
0003135198.tif 000007
【図６】
0003135198.tif 000008
【図７】
0003135198.tif 000009
【図８】
0003135198.tif 000010